(57)【要約】【課題】ユーザの行う表示部の角度調整操作によって、機器に不要な衝撃等の外力を与えることがなく、角度調整作業を確実に行える映像表示装置を提供する。【解決手段】液晶表示部１０の回転量が警告範囲に達する場合には衝撃を発生させることのないように摩擦による回転規制を大にし、かつ、その状態を液晶表示部１０の表示画面１０Ａに可視的に表示させるようにしたので、回転量の警告範囲を越えて回転させることによる衝撃を液晶表示部１０や支持脚部１２に加えることを防ぎ、損傷や異常の発生を防止することができる。【選択図】図２
2007266880.tif 000002
【特許請求の範囲】
【請求項１】
機器全体を支持するスタンドと、
前記スタンドに回転自在に支持されて表示画面に映像を表示する表示部と、
前記スタンドに対する前記表示部の回転量に応じた規制力で前記表示部の回転を規制する回転規制構造を備えた支持脚部とを有することを特徴とする映像表示装置。
【請求項２】
機器全体を支持するスタンドと、
前記スタンドに回転自在に支持されて表示画面に映像を表示する表示部と、
前記スタンドに対する前記表示部の回転量に応じた規制力で前記表示部の回転を規制する回転規制構造を備えた支持脚部と、
前記表示部の回転量に基づいて前記回転規制構造から出力される前記表示部の回転状態を前記表示画面に表示させる制御部とを有することを特徴とする映像表示装置。
【請求項３】
機器全体を支持するスタンドと、
前記スタンドに回転自在に支持されて表示画面に映像を表示する表示部と、
前記スタンドに対する前記表示部の回転量に基づいて前記表示部の回転を規制する回転規制構造を備えた支持脚部と、
前記表示部の回転量に基づいて前記回転規制構造から電気的に出力される前記表示部の回転状態を前記表示画面にＯＳＤ(On Screen Display)表示させる制御部とを有することを特徴とする映像表示装置。
【請求項４】
機器全体を支持するスタンドと、
前記スタンドに回転自在に支持されて表示画面に映像を表示する表示部と、
前記スタンドに対する前記表示部の回転量に基づいて前記表示部の回転を弾性的に規制する回転規制構造を備えた支持脚部と、
前記表示部の回転量に基づいて前記回転規制構造から電気的に出力される前記表示部の回転状態を前記表示画面にＯＳＤ表示させる制御部とを有することを特徴とする映像表示装置。
【請求項５】
前記支持脚部は、前記スタンドに固定される基台部と、
前記基台部に固定される軸と、
前記基台部の外周に回転自在に設けられ、前記表示部に固定されるとともに前記軸を収容する溝を有する筒状の外筒部と、
前記外筒部の内側に設けられる緩衝材とを有し、
前記溝に収容された前記軸が前記外筒部の回転に基づいて前記溝に沿って相対移動することにより生じる摩擦抵抗に基づいて前記規制力を発生する請求項１から４のいずれか１項に記載の映像表示装置。
【請求項６】
前記制御部は、前記表示部の回転量に応じた表示を前記表示部の前記表示画面に表示させる請求項２から４のいずれか１項に記載の映像表示装置。
【発明の詳細な説明】
【技術分野】
【０００１】
本発明は、チューナで受信した映像信号に基づく画面表示を行う映像表示装置に関し、特に、ユーザの行う表示部の角度調整操作によって、機器に不要な衝撃等の外力を与えることがなく、角度調整作業を確実に行える映像表示装置に関する。
【背景技術】
【０００２】
近年、テレビジョン放送はこれまでのアナログ放送からデジタル放送への移行が進みつつある。デジタル放送は高繊細で高画質の映像を提供できることから、より大画面化された表示部を有する映像表示装置も普及しつつある。
【０００３】
このような映像表示装置では、近年、液晶パネル等の表示器を使用し、奥行きサイズが薄型化された表示部を有するものが主流となりつつあり、薄型化された表示部を回転させて所望の方向に向けることができるものが提案されている。液晶パネル等の表示器は精密部品であり、特に、近年の大サイズ化された表示部を所望の方向に角度調整する場合には過大な外力を与えないようにすることが重要である。
【０００４】
外力に対して機器を保護するものとして、チルト軸に緩衝部材を介して支持されるカメラハウジング内にテレビカメラを固定し、風による風圧が与えられたときにカメラハウジングを支持する緩衝部材で風圧による振動を吸収してテレビカメラが振動しないようにしたものがある（例えば、特許文献１参照。）。
【特許文献１】特開平５−１１０９０５号公報
【発明の開示】
【発明が解決しようとする課題】
【０００５】
しかし、特許文献１に記載された発明によると、突発的な外力の作用に対して機器を保護するものであるため、表示部の角度調整のように意図的に回転等の外力を与える場合に適用すると、角度調整に大なる外力を必要とし、作業性が悪いという問題がある。また、ユーザが表示部の角度調整を行う際に、どの程度の角度まで調整が可能かの目安がないことから、不慣れな角度調整を調整限界量まで行ってしまい、その結果、表示部に衝撃を与えてしまうという問題もある。
【０００６】
従って、本発明の目的は、ユーザの行う表示部の角度調整操作によって、機器に不要な衝撃等の外力を与えることがなく、角度調整作業を確実に行える映像表示装置を提供することにある。
【課題を解決するための手段】
【０００７】
本発明は、上記の目的を達成するため、機器全体を支持するスタンドと、前記スタンドに回転自在に支持されて表示画面に映像を表示する表示部と、前記スタンドに対する前記表示部の回転量に応じた規制力で前記表示部の回転を規制する回転規制構造を備えた支持脚部とを有する映像表示装置を提供する。
【０００８】
また、本発明は、上記の目的を達成するため、機器全体を支持するスタンドと、前記スタンドに回転自在に支持されて表示画面に映像を表示する表示部と、前記スタンドに対する前記表示部の回転量に応じた規制力で前記表示部の回転を規制する回転規制構造を備えた支持脚部と、前記表示部の回転量に基づいて前記回転規制構造から出力される前記表示部の回転状態を前記表示画面に表示させる制御部とを有する映像表示装置を提供する。
【０００９】
また、本発明は、上記の目的を達成するため、機器全体を支持するスタンドと、前記スタンドに回転自在に支持されて表示画面に映像を表示する表示部と、前記スタンドに対する前記表示部の回転量に基づいて前記表示部の回転を規制する回転規制構造を備えた支持脚部と、前記表示部の回転量に基づいて前記回転規制構造から電気的に出力される前記表示部の回転状態を前記表示画面にＯＳＤ表示させる制御部とを有する映像表示装置を提供する。
【００１０】
また、本発明は、上記の目的を達成するため、機器全体を支持するスタンドと、前記スタンドに回転自在に支持されて表示画面に映像を表示する表示部と、前記スタンドに対する前記表示部の回転量に基づいて前記表示部の回転を弾性的に規制する回転規制構造を備えた支持脚部と、前記表示部の回転量に基づいて前記回転規制構造から電気的に出力される前記表示部の回転状態を前記表示画面にＯＳＤ表示させる制御部とを有する映像表示装置を提供する。
【発明の効果】
【００１１】
本発明によれば、ユーザの行う表示部の角度調整操作によって、機器に不要な衝撃等の外力を与えることがなく、角度調整作業を確実に行うことができる。
【発明を実施するための最良の形態】
【００１２】
（発明の実施の形態）
図１は、本発明の実施の形態に係る映像表示装置としてのＴＶ装置を示す正面図である。
【００１３】
このＴＶ装置１は、カラー液晶表示パネルからなり、表示画面１０Ａにカラー映像を表示する液晶表示部１０と、映像表示装置全体を固定系に搭載するためのテレビスタンド１１と、液晶表示部１０をテレビスタンド１１に回転自在に支持する支持脚部１２とを有して構成されている。このＴＶ装置１は、図示しないリモートコントローラによって電源のＯＮ／ＯＦＦ、選局等の操作が行われる。
【００１４】
図２は、本発明の実施の形態に係る映像表示装置の支持脚部を示す部分斜視図である。同図においては、説明を容易にするため、支持脚部１２上に設けられる液晶表示部１０の図示を省略し、前面位置Ａと背面位置Ｂのみ示している。
【００１５】
支持脚部１２は、テレビスタンド１１に一体的に設けられる基台部１１０と、基台部１１０に固定される軸１１１と、基台部１１０の外周に回転自在に設けられる筒状の外筒部１２０と、外筒部１２０の内側に設けられる緩衝材１２２と、基台部１１０と外筒部１２０の相対回転量を電気的に検出する可変抵抗部１２３とを有する。
【００１６】
基台部１１０は、機械的強度の大なる金属材料で形成されており、軸１１１をねじ固定によって上面に一体的に設けられている。
【００１７】
外筒部１２０は、基台部１１０に固定された軸１１１を収容する楕円溝１２１を上面に有し、楕円溝１２１における軸１１１の位置に応じて生じる摩擦に基づいて外筒部１２０の回転を規制する。
【００１８】
緩衝材１２２は、外筒部１２０の内壁面に沿って設けられており、一部が外筒部１２０に設けられる楕円溝１２１の両端に配置される厚さを有している。外筒部１２０の相対回転によって軸１１１が楕円溝１２１を移動し、端部近傍に達すると緩衝材１２２に接触するように形成されており、楕円溝１２１の端部に軸１１１が衝突することによる衝撃の発生を抑制する。
【００１９】
楕円溝１２１は、外筒部１２０と基台部１１０の相対回転に基づく軸１１１の軌跡より大なる曲率を有して形成されており、そのことによって軸１１１が楕円溝１２１の端部寄りに配置されるにつれて軸１１１と楕円溝１２１との摩擦が大になるように形成されている。
【００２０】
図３は、本発明の実施の形態に係る映像表示装置の表示部回転量検出に関するブロック図である。
【００２１】
液晶表示部１０の回転量は、外筒部１２０とともに回転する可変抵抗部１３０の出力に基づいて検出される。Ａ／Ｄ変換部１３１は、可変抵抗部１３０から出力される回転量に基づくアナログ出力信号をデジタル変換して出力する。制御部１３２は、Ａ／Ｄ変換部１３１から入力する回転量に応じたデジタル出力信号と、記憶部１３３に格納されている比較用データとを比較して液晶表示部１０の実際の回転量を算出し、表示制御部１３４と音声出力部１３６に出力する。記憶部１３３には、液晶表示部１０の中心位置、つまり正面を向いている位置に応じた可変抵抗部１３０の抵抗値が比較用データとして記憶されている。表示制御部１３４は、液晶表示部１０の実際の回転量に応じた信号に基づくＯＳＤ(On Screen Display)表示を行うための画像信号を液晶表示部１３５に出力する。音声出力部１３６は、液晶表示部１０の実際の回転量に応じた信号に基づく音声信号をスピーカ１３７に出力する。なお、同図における可変抵抗部１３０および液晶表示部１３５は、前述の可変抵抗部１２３および液晶表示部１０に対応している。
【００２２】
音声信号は、回転量に応じて音色が変化するものであるが、これに限定されずに出力間隔を変えるもの等であっても良い。
【００２３】
図４（ａ）から（ｄ）は、本発明の実施の形態に係る映像表示装置のＯＳＤ表示を示す第１の動作説明図である。図１に示す可変抵抗部１２３の出力信号に変化があると、制御部１３２は表示画面１０ＡにＯＳＤ表示部１０Ｂを表示させる。
【００２４】
図４（ａ）は、液晶表示部１０が回転可能範囲の中心にある状態であり、表示画面１０Ａの下部には、液晶表示部１０が回転可能範囲の中心にあることを示す中心表示１００を含むＯＳＤ表示部１０Ｂが表示される。
【００２５】
図４（ｂ）は、液晶表示部１０が時計方向に回転した第１の状態であり、表示画面１０Ａの下部には、液晶表示部１０の回転量に応じた帯状の回転量表示１０１（緑色）を含むＯＳＤ表示部１０Ｂが表示される。
【００２６】
図４（ｃ）は、液晶表示部１０が第１の状態から更に時計方向に回転した第２の状態であり、表示画面１０Ａの下部には、液晶表示部１０の回転量が大になっていることを示す帯状の注意表示１０２（黄色）を含むＯＳＤ表示部１０Ｂが表示される。
【００２７】
図４（ｄ）は、液晶表示部１０が第２の状態から更に時計方向に回転した第３の状態であり、表示画面１０Ａの下部には、液晶表示部１０の回転量が限界に近づいていることを示す帯状の警告表示１０３（赤色）を含むＯＳＤ表示部１０Ｂが表示される。
【００２８】
また、図４（ａ）から（ｄ）の各段階に応じた音声が図示しないスピーカから出力される。音声は安全な可動範囲、注意範囲、警告範囲で３段階に変化し、警告範囲に近づくにつれて高音側に変化する。
【００２９】
上記したＯＳＤ表示は、ユーザの好みに応じて複数用意された表示形態から選択することができる。ＯＳＤ表示の表示パターンは図３に示す記憶部１３３に格納されており、これを読み出すことで実行できる。
【００３０】
図５（ａ）から（ｃ）は、本発明の実施の形態に係る映像表示装置のＯＳＤ表示を示す第２の動作説明図である。このＯＳＤ表示は、表示画面１０Ａの左右両側に縦方向にＯＳＤ表示部１０Ｃおよび１０Ｄを表示させるものである。
【００３１】
図５（ａ）は、液晶表示部１０が回転可能範囲の中心にある状態であり、表示画面１０Ａの左右両側には、液晶表示部１０が回転可能範囲の中心にあることを示す中心表示１００を含むＯＳＤ表示部１０Ｃおよび１０Ｄが表示される。
【００３２】
図５（ｂ）は、液晶表示部１０が時計方向に回転した状態であり、表示画面１０Ａの左側には、液晶表示部１０の左側が紙面奥方向に回転したことを示す帯状の回転量表示１０１（緑色）を含むＯＳＤ表示部１０Ｄが表示される。また、表示画面１０Ａの右側には、液晶表示部１０の右側が紙面手前方向に回転したことを示す帯状の回転量表示１０１（緑色）を含むＯＳＤ表示部１０Ｃが表示される。ここで、回転量表示１０１は、紙面奥方向に移動するとレベルが上昇し、紙面手前方向に移動するとレベルが下降する。
【００３３】
図５（ｃ）は、液晶表示部１０が反時計方向に回転した状態であり、表示画面１０Ａの左側には、液晶表示部１０の左側が紙面手前方向に回転したことを示す帯状の回転量表示１０１（緑色）を含むＯＳＤ表示部１０Ｄが表示される。また、表示画面１０Ａの右側には、液晶表示部１０の右側が紙面奥方向に回転したことを示す帯状の回転量表示１０１（緑色）を含むＯＳＤ表示部１０Ｃが表示される。
【００３４】
このようなＯＳＤ表示部１０Ｃおよび１０Ｄにおいても、図４で説明したＯＳＤ表示と同様に、液晶表示部１０の回転量に応じた安全な可動範囲（緑色）、注意範囲（黄色）、警告範囲（赤色）で表示される。
【００３５】
図６（ａ）から（ｃ）は、本発明の実施の形態に係る映像表示装置のＯＳＤ表示を示す第３の動作説明図である。このＯＳＤ表示は、表示画面１０Ａの下部中央にＴＶ装置１を上方から見た状態での液晶表示部１０の回転状態を絵柄化したＯＳＤ表示部１０Ｂを表示させるものである。ここでは、液晶表示部１０を楕円形の絵柄で示している。
【００３６】
図６（ａ）は、液晶表示部１０が回転可能範囲の中心にある状態であり、表示画面１０Ａの下部中央には、液晶表示部１０が回転可能範囲の中心にあることを示す絵柄の中心表示１００を含むＯＳＤ表示部１０Ｂが表示される。
【００３７】
図６（ｂ）は、液晶表示部１０が時計方向に回転した状態であり、表示画面１０Ａの下部には、液晶表示部１０の時計方向の回転量に応じた絵柄の回転量表示１０１（緑色）を含むＯＳＤ表示部１０Ｂが表示される。
【００３８】
図６（ｃ）は、液晶表示部１０が反時計方向に回転した状態であり、表示画面１０Ａの下部には、液晶表示部１０の反時計方向の回転量に応じた絵柄の回転量表示１０１（緑色）を含むＯＳＤ表示部１０Ｂが表示される。
【００３９】
このようなＯＳＤ表示部１０Ｂにおいても、図４で説明したＯＳＤ表示と同様に、液晶表示部１０の回転量に応じた安全な可動範囲（緑色）、注意範囲（黄色）、警告範囲（赤色）で表示される。
【００４０】
（本発明の実施の形態の効果）
上記した本発明の実施の形態によると、液晶表示部１０の回転量が警告範囲に達する場合には衝撃を発生させることのないように摩擦による回転規制を大にし、かつ、その状態を液晶表示部１０の表示画面１０Ａに可視的に表示させるようにしたので、回転量の警告範囲を越えて回転させることによる衝撃を液晶表示部１０や支持脚部１２に加えることを防ぎ、損傷や異常の発生を防止することができる。なお、本実施の形態では、液晶表示部１０を１脚で支持する支持脚部１２の構成について説明したが、支持脚部が複数ある場合についても有効である。
【００４１】
また、本実施の形態によれば、液晶表示部１０を中心位置から回転させるときの初期荷重を小にでき、回転初期の作業性が良好であるとともに、回転量の限界に近づくにつれて摩擦による回転規制がかかるので、液晶表示部１０に無用な衝撃を与えることがない。
【００４２】
図７（ａ）から（ｄ）は、支持脚部の外筒部に設けられる楕円溝の他の形状を示す平面図である。
【００４３】
図７（ａ）は、楕円溝１２１の端部が細くなっており、軸１１１が端部寄りに配置されるにつれて摩擦を大にする形状である。このような楕円溝１２１とすることで、緩衝材１２２を設けなくとも外筒部について摩擦による回転規制を実現できる。
【００４４】
図７（ｂ）は、楕円溝１２１の内側に緩衝材１２２が配置された構成である。このような楕円溝１２１および緩衝材１２２の配置としても良好な回転規制作用が得られる。
【００４５】
図７（ｃ）は、軸１１１の軌跡Ｃに対して楕円溝１２１の曲率が大なる構成である。このような楕円溝１２１とすることで、緩衝材を設けなくとも摩擦による回転規制作用が得られる。
【００４６】
図７（ｄ）は、軸１１１の軌跡Ｃに対して楕円溝１２１の曲率が小なる構成である。このような楕円溝１２１としても緩衝材を設けずに摩擦による回転規制作用が得られる。
【００４７】
なお、本発明は、上記した実施の形態に限定されず、本発明の技術思想を逸脱あるいは変更しない範囲内で種々な組み合わせ、変形が可能である。
【図面の簡単な説明】
【００４８】
【図１】本発明の実施の形態に係る映像表示装置としてのＴＶ装置を示す正面図である。
【図２】本発明の実施の形態に係る映像表示装置の支持脚部を示す部分斜視図である。
【図３】本発明の実施の形態に係る映像表示装置の表示部回転量検出に関するブロック図である。
【図４】（ａ）から（ｄ）は、本発明の実施の形態に係る映像表示装置のＯＳＤ表示を示す第１の動作説明図である。
【図５】（ａ）から（ｃ）は、本発明の実施の形態に係る映像表示装置のＯＳＤ表示を示す第２の動作説明図である。
【図６】（ａ）から（ｃ）は、本発明の実施の形態に係る映像表示装置のＯＳＤ表示を示す第３の動作説明図である。
【図７】（ａ）から（ｄ）は、支持脚部の外筒部に設けられる楕円溝の他の形状を示す平面図である。
【符号の説明】
【００４９】
１…ＴＶ装置、１０…液晶表示部、１０Ａ…表示画面、１０Ｂ…ＯＳＤ表示部、１０Ｃ…ＯＳＤ表示部、１０Ｄ…ＯＳＤ表示部、１１…テレビスタンド、１２…支持脚部、１００…中心表示、１０１…回転量表示、１０２…注意表示、１０３…警告表示、１１０…基台部、１１１…軸、１２０…外筒部、１２１…楕円溝、１２２…緩衝材、１２３…可変抵抗部、１３０…可変抵抗部、１３１…Ａ／Ｄ変換部、１３２…制御部、１３３…記憶部、１３４…表示制御部、１３５…液晶表示部、１３６…音声出力部、１３７…スピーカ
【図１】
2007266880.tif 000003
【図２】
2007266880.tif 000004
【図３】
2007266880.tif 000005
【図４】
2007266880.tif 000006
【図５】
2007266880.tif 000007
【図６】
2007266880.tif 000008
【図７】
2007266880.tif 000009